(57)【特許請求の範囲】
【請求項１】
１台の室内ユニットに対し、熱交換器、送風ファン及び電子膨脹弁を有する複数台の室内ユニットを接続してなり、かつこれら室内ユニットに前記熱交換器で発生したドレンを受けて排出するドレンパンと、このドレンパン内の水位が所定水位に達したとき、異常信号を出力する水位検知スイッチを具備してなるマルチ形空気調和機において、
前記熱交換器に温度センサを設けると共に、前記水位検知スイッチが異常信号を出力しているか否かを判断し、異常発生時に異常発生側室内ユニットの送風ファンを止め、電子膨脹弁を全閉とする異常停止手段と、
前記異常発生時に前記異常発生側ユニットの前記温度センサの検知温度が上昇しているか否かを判断し、温度が上昇していれば他の室内ユニットの運転を続け、温度が上昇していなければ全室内ユニットの運転を停止する運転可否決定手段と、
を具備したことを特徴とするマルチ形空気調和機。
【請求項２】
前記運転可否決定手段に、異常発生時に停止していた圧縮機が再起動したとき、前記温度センサの検知温度が下がっているか否かを判断し、温度が下がっていなければ他の室内ユニットの運転を続け、温度が下がっていれば全室内ユニットの運転を停止する再起度決定手段を付設したことを特徴とする請求項１記載のマルチ形空気調和機。
【発明の詳細な説明】
【０００１】
【発明の属する技術分野】
本発明は、１台の室外ユニッに対して複数台の室内ユニットを冷媒配管で接続したマルチ形空気調和機に関する。
【０００２】
【従来の技術】
図４はかかるマルチ形空気調和機の構成図である。
１台の室外ユニット１には、複数台、例えば２台の室内ユニット２、３が冷媒配管４ａ、４ｂを介して接続されている。
【０００３】
このうち室外ユニット１には、圧縮機５が設けられ、この圧縮機５の冷媒ガス出力端にオイルセパレータ６を介して四方切換弁７が接続されている。オイルセパレータ６は、冷媒ガスを冷媒ガスと油とに分離するもので、冷媒ガスを四方切換弁７に送り、油を圧縮機５の吸入端に接続された吸入管８に送っている。
【０００４】
四方切換弁７の一端には、２台の室外熱交換器９、１０が並列接続され、さらにこれら室外熱交換器９、１０に対してそれぞれディストリビュータ１１、１２、逆止弁１３、１４又は電子膨脹弁１５、１６が接続されている。
【０００５】
そして、これら逆止弁１３、１４又は電子膨脹弁１５、１６が共通にレシーバ１７に接続され、このレシーバ１７に冷媒配管４ａを介して２台の室内ユニット２、３が接続されている。
【０００６】
又、四方切換弁７の他端は、アキュムレータ１８から吸入管８を通して圧縮機５に接続されている。
一方、２台の室内ユニット２、３は、それぞれ冷媒配管４ａに対してストレーナ２０ａ、２０ｂを接続し、これらストレーナ２０ａ、２０ｂにそれぞれ電子膨脹弁２１ａ、２１ｂ、ディストリビュータ２２ａ、２２ｂ、室内熱交換器２３ａ、２３ｂを接続し、これら室内熱交換器２３ａ、２３ｂを冷媒配管４ｂに接続した構成となっている。
【０００７】
又、これら室内ユニット２、３には、それぞれ送風機（送風ファン）２４ａ、２４ｂが設けられ、かつその底には空気に対する冷却により分離された水を溜めるドレンパン２５ａ、２５ｂが設けられている。これらドレンパン２５ａ、２５ｂに溜まった水は、それぞれドレンポンプ２６ａ、２６ｂにより排出、又は自然排出されるものとなっている。
【０００８】
なお、これらドレンパン２５ａ、２５ｂには、それぞれフロートスイッチ２７ａ、２７ｂが配置され、これらドレンパン２５ａ、２５ｂのうちいずれか一方又は両方に溜まったドレン水がオーバーフローしたとき、これを検知して全ユニットを停止させるものとなっている。
【０００９】
このような構成であれば、例えば冷房運転を行う場合、圧縮機５から吐出された冷媒ガスは、オイルセパレータ６により冷媒ガスと油とに分離され、このうち油は吸入管８に戻される。
【００１０】
一方、冷媒ガスは、四方切換弁７を通って各室外熱交換器９、１０に導かれ、ここで凝縮される。これら室外熱交換器９、１０により凝縮された冷媒液は、それぞれディストリビュータ１１、１２、逆止弁１３、１４を通り、さらにレシーバ１７を通り、冷媒配管４ａから２台の室内ユニット２、３に導かれる。
【００１１】
なお、このとき電子膨脹弁１５、１６は、閉じているので、冷媒液は逆止弁１３、１４を通る。
これら室内ユニット２、３において冷媒液は、それぞれストレーナ２０ａ、２０ｂ、電子膨脹弁２１ａ、２１ｂ、ディストリビュータ２２ａ、２２ｂを通って室内熱交換器２３ａ、２３ｂに導かれ、ここで蒸発してガス状となる。
【００１２】
そして、冷媒ガスは、冷媒配管４ｂを通って室外ユニット１に戻り、四方切換弁７、アキュームレータ１８、吸入管８を通って再び圧縮機５に吸入される。
このような冷房運転中、各室内ユニット２、３の室内熱交換器２３ａ、２３ｂは、空気を冷却し、その空気中の水分が空気と分離されてドレンパン２５ａ、２５ｂにドレン水として溜まる。
【００１３】
これらドレンパン２５ａ、２５ｂに溜まったドレン水は、ドレンポンプ２６ａ、２６ｂにより排出されたり、又は自然排出される。
ところが、なんらかの原因によりドレンパン２５ａ、２５ｂにドレン水が溜まり、ドレン水がドレンパン２５ａ、２５ｂからオーバーフローしそうになると、このドレン異常がフロートスイッチ２７ａ、２７ｂにより検出される。
【００１４】
このようなドレン異常に対する制御は、図５に示す異常制御フローチャートに従って行われる。
すなわち、いずれかの室内ユニット２又は３、例えば室内ユニット２におけるドレンパン２５ａでドレン水がオーバーフローとなり、フロートスイッチ２７ａが動作すると、全ての室内ユニット２、３を停止し、かつリモートコントロールパネルに異常を表示する。
【００１５】
【発明が解決しようとする課題】
しかしながら、上記マルチ形空気調和機では、複数の室内ユニット、すなわち２台の室内ユニット２、３が運転中であり、このときに例えば１台の室内ユニット２のフロートスイッチ２７ａが作動すると、他の１台の室内ユニット３は運転を継続することが可能であるにも拘らず、全ての室内ユニット２、３の運転を停止しまっている。
【００１６】
そこで本発明は、複数の室内ユニットのうち、ドレン水のオーバーフローによる異常のない室内ユニットについては運転を継続できるマルチ形空気調和機を提供することを目的とする。
【００１７】
【課題を解決するための手段】
請求項１によれば、１台の室内ユニットに対し、熱交換器、送風ファン及び電子膨脹弁を有する複数台の室内ユニットを接続してなり、かつこれら室内ユニットに熱交換器で発生したドレンを受けて排出するドレンパンと、このドレンパン内の水位が所定水位に達したとき、異常信号を出力する水位検知スイッチを具備してなるマルチ形空気調和機において、
熱交換器に温度センサを設けると共に、水位検知スイッチが異常信号を出力しているか否かを判断し、異常発生時に異常発生側室内ユニットの送風ファンを止め、電子膨脹弁を全閉とする異常停止手段と、
異常発生時に異常発生側ユニットの温度センサの検知温度が上昇しているか否かを判断し、温度が上昇していれば他の室内ユニットの運転を続け、温度が上昇していなければ全室内ユニットの運転を停止する運転可否決定手段と、
を備えたマルチ形空気調和機である。
【００１８】
このようなマルチ形空気調和機であれば、ドレンパン内の水位が所定水位に達したときに水位検知スイッチがこれを検知して異常信号を出力すると、この異常発生時に異常発生側室内ユニットの送風ファンを止め、電子膨脹弁を全閉とし、かつこの異常発生時に異常発生側ユニットの温度センサの検知温度が上昇しているか否かを判断し、温度が上昇していれば他の室内ユニットの運転を続け、温度が上昇していなければ全室内ユニットの運転を停止する。
【００１９】
これにより、ドレン水のオーバーフローによる異常のない室内ユニットについては運転が継続できる。
請求項２によれば、請求項１記載のマルチ形空気調和機において、運転可否決定手段に、異常発生時に停止していた圧縮機が再起動したとき、温度センサの検知温度が下がっているか否かを判断し、温度が下がっていなければ他の室内ユニットの運転を続け、温度が下がっていれば全室内ユニットの運転を停止する再起度決定手段を付設した。
【００２０】
【発明の実施の形態】
以下、本発明の一実施の形態について図面を参照して説明する。なお、図４と同一部分には同一符号を付してその詳しい説明は省略する。
図１はマルチ形空気調和機の構成図である。
【００２１】
２台の室内ユニット２、３の各室内熱交換器２３ａ、２３ｂには、それぞれ温度センサとしてのサーミスタ３０ａ、３０ｂが設けられている。
これらサーミスタ３０ａ、３０ｂは、それぞれ室内熱交換器２３ａ、２３ｂの温度を感知し、これら室内熱交換器２３ａ、２３ｂの温度に応じた信号を出力するものとなっている。
【００２２】
一方、図２は制御系の構成図である。
この制御系には、水位検知スイッチとしての各フロートスイッチ２７ａ、２７ｂからそれぞれ出力される各異常信号を受け取る異常停止手段３１が備えられている。
【００２３】
この異常停止手段３１は、各フロートスイッチ２７ａ、２７ｂから異常信号が出力されているか否かを判断し、ドレン水のオーバーフローの異常発生時に異常発生側の室内ユニット２、３の送風機２４ａ、２４ｂを止め、かつ電子膨脹弁２１ａ、２１ｂを全閉とする機能を有している。
【００２４】
又、運転可否決定手段３２は、異常停止手段３１からドレン水のオーバーフローの異常発生の旨を受けたとき、出力手段３３を通して室外ユニット１の圧縮機５の運転状態を判断し、この圧縮機５が運転状態にあれば、異常発生側の室内ユニット２、３のサーミスタ３０ａ、３０ｂの検知温度、すなわち室内熱交換器２３ａ、２３ｂの温度が上昇しているか否かを判断し、この検知温度が上昇していれば他の室内ユニット３、２の運転を続け、かつ室内熱交換器２３ａ、２３ｂの温度が上昇していなければ全室内ユニット２、３の運転を停止する機能を有している。
【００２５】
又、この運転可否決定手段３２には、再起度決定手段３４が付設されている。この再起度決定手段３４は、ドレン水のオーバーフローの異常発生時に停止していた圧縮機５が再起動したとき、サーミスタ３０ａ、３０ｂにより検知された室内熱交換器２３ａ、２３ｂの温度が下がっているか否かを判断し、室内熱交換器２３ａ、２３ｂの温度が下がっていなければ他の室内ユニット３、２の運転を続け、かつ室内熱交換器２３ａ、２３ｂの温度が下がっていれば全室内ユニット２、３の運転を停止する機能を有している。
【００２６】
次に上記の如く構成された空気調和機の作用について図３に示す異常制御フローチャートに従って説明する。
例えば冷房運転を行う場合、圧縮機５から吐出された冷媒ガスは、上記同様に、オイルセパレータ６により冷媒ガスと油とに分離され、このうち冷媒ガスは、四方切換弁７を通って各室外熱交換器９、１０に導かれ、ここで凝縮される。
【００２７】
これら凝縮された冷媒液は、それぞれディストリビュータ１１、１２、逆止弁１３、１４を通り、さらにレシーバ１７、冷媒配管４ａを通って２台の室内ユニット２、３に導かれる。
【００２８】
これら室内ユニット２、３において冷媒液は、それぞれストレーナ２０ａ、２０ｂ、電子膨脹弁２１ａ、２１ｂ、ディストリビュータ２２ａ、２２ｂを通って室内熱交換器２３ａ、２３ｂに導かれ、ここで蒸発してガス状となる。
【００２９】
これら冷媒ガスは、冷媒配管４ｂを通って室外ユニット１に戻り、四方切換弁７、アキュームレータ１８、吸入管８を通って再び圧縮機５に吸入される。
このような冷房運転中、各室内ユニット２、３の室内熱交換器２３ａ、２３ｂは、空気を冷却し、その空気中の水分が空気と分離されてドレンパン２５ａ、２５ｂにドレン水として溜まる。
【００３０】
これらドレンパン２５ａ、２５ｂに溜まったドレン水は、ドレンポンプ２６ａ、２６ｂにより排出されたり、又は自然排出されるが、なんらかの原因によりドレンパン２５ａ、２５ｂにドレン水が溜まり、オーバーフローしそうになると、フロートスイッチ２７ａ、２７ｂが作動し、ドレン水のオーバーフローの異常信号を出力する。
【００３１】
ここで、異常停止手段３１は、ステップ＃１において、各フロートスイッチ２７ａ、２７ｂから異常信号が出力されているか否かを判断する。
この判断の結果、ドレン異常が発生していれば、異常停止手段３１は、ステップ＃２においてドレン水のオーバーフローの異常発生側の室内ユニット２、３、例えばフロートスイッチ２７ａから異常信号が出力されていれば、室内ユニット２の送風機２４ａの動作を止め、次のステップ＃３において電子膨脹弁２１ａを全閉とする。
【００３２】
次に運転可否決定手段３２は、異常停止手段３１からドレン水のオーバーフローの異常発生の旨を受けたとき、ステップ＃４において、出力手段３３を通して室外ユニット１の圧縮機５の運転状態を判断する。
【００３３】
この判断の結果、圧縮機５が運転中であれば、運転可否決定手段３２は、ステップ＃５に移って異常発生側の室内ユニット２のサーミスタ３０ａの検知温度を受け取り、室内熱交換器２３ａの温度が上昇しているか否かを判断する。
【００３４】
そして、この判断の結果、異常発生側の室内熱交換器２３ａの温度が上昇していれば、運転可否決定手段３２は、この室内熱交換器２３ａのドレン水の増加の虞はないと判断してステップ＃６に移り、異常発生側の室内ユニット２のみ運転を停止し、他の室内ユニット３の運転を継続する。
【００３５】
ところが、上記ステップ＃５において異常発生側の室内熱交換器２３ａの温度が上昇していないと判断すると、運転可否決定手段３２は、ステップ＃７に移って全室内ユニット２、３の運転を停止する。
【００３６】
一方、室外ユニット１の圧縮機５の運転状態の判断の結果、圧縮機５が停止していれば、再起度決定手段３４は、ステップ＃８において次に圧縮機５が再起動するのを待ち、この圧縮機５が再起動したときに、次のステップ＃９においてサーミスタ３０ａの検知温度を取り込み、異常発生側の室内熱交換器２３ａの温度が下がっているか否かを判断する。
【００３７】
この判断の結果、異常発生側の室内熱交換器２３ａの温度が下がっていなければ、再起度決定手段３４は、ステップ＃１０に移って異常発生側の室内ユニット２の運転を停止し、他の室内ユニット３の運転を継続する。
【００３８】
ところが、異常発生側の室内熱交換器２３ａの温度が下がっていれば、運転可否決定手段３２は、ステップ＃１１に移って全室内ユニット２、３の運転を停止する。
【００３９】
このように上記一実施の形態においては、ドレンパン内の水位が所定水位に達してドレン異常が発生したとき、異常発生側の室内ユニット２、３の送風機２４ａ、２４ｂを止め、電子膨脹弁２１ａ、２１ｂを全閉とし、かつ異常発生側室内ユニットのサーミスタ３０ａ、３０ｂの検知温度から室内熱交換器２３ａ、２３ｂの温度が上昇しているか否かを判断し、この温度が上昇していれば他の室内ユニット３、２の運転を続け、温度が上昇していなければ全室内ユニット２、３の運転を停止し、かつ異常発生時に停止していた圧縮機５が再起動したとき、室内熱交換器２３ａ、２３ｂの温度が下がっているか否かを判断し、この温度が下がっていなければ他の室内ユニット３、２の運転を続け、温度が下がっていれば全室内ユニット２、３の運転を停止するので、複数の室内ユニット２、３のうち、ドレン異常の発生した室内ユニット、例えば室内ユニット２におけるドレン水の増加の虞はないとしてドレン異常発生の室内ユニット２の運転のみを停止し、他の室内ユニット３の運転を継続できる。
【００４０】
又、圧縮機５の運転中か停止かの状態に別けて、ドレン異常発生の室内ユニット２の運転のみを停止するか、又は全室内ユニット２、３を停止するかを判断できる。
【００４１】
そのうえ、ドレン異常の表示のない室内ユニット２、３の使用が可能となる。
なお、本発明は、上記一実施の形態に限定されるものでなく次の通り変形してもよい。
【００４２】
例えば、室内熱交換器２３ａ、２３ｂの温度を検知する温度センサは、サーミスタ３０ａ、３０ｂに限らず、他の温度検知素子を用いてもよい。
又、室内ユニットが２台以上の複数台あれば、ドレン異常の発生した全ての室内ユニットの運転を停止し、残りの室内ユニットの運転を継続するものとなる。
【００４３】
【発明の効果】
以上詳記したように本発明の請求項１、２によれば、複数の室内ユニットのうち、ドレン水のオーバーフローによる異常のない室内ユニットについては運転を継続できるマルチ形空気調和機を提供できる。
【図面の簡単な説明】
【図１】本発明に係わるマルチ形空気調和機の一実施の形態を示す構成図。
【図２】同空気調和機の制御系の構成図。
【図３】同空気調和機における異常制御フローチャート。
【図４】従来のマルチ形空気調和機の構成図。
【図５】従来の異常制御フローチャート。
【符号の説明】
１…室外ユニット、
２，３…室内ユニット、
５…圧縮機、
９，１０…室外熱交換器、
２３ａ，２３ｂ…室内熱交換器、
２４ａ，２４ｂ…送風機、
２５ａ，２５ｂ…ドレンパン、
２６ａ，２６ｂ…ドレンポンプ、
２７ａ，２７ｂ…フロートスイッチ、
３０ａ，３０ｂ…サーミスタ、
３１…異常停止手段、
３２…運転可否決定手段、
３４…再起度決定手段。
【図１】
0003776502.tif 000002
【図２】
0003776502.tif 000003
【図３】
0003776502.tif 000004
【図４】
0003776502.tif 000005
【図５】
0003776502.tif 000006